(57)【要約】
【課題】　吊り下げ式パッケージにおいて、吊り下げ用の孔まわりの立体感を向上すると共に、商品の抜き取り防止を図る
【解決手段】　台紙１の上部に延長部12を設けると共に、延長部12を透光性板６の上部を覆うように折り返し部13を介して折り返す。延長部12に第１及び第２の吊り下げ用の孔８,９と同心状に第３の吊り下げ用の孔14を設ける。延長部12を凸部７の表面７ａに固定する。吊り下げ用の孔８,９の表側には延長部12が前方へ突出するように設けられるので、パッケージに立体感があらわれて美観を向上することができる。陳列時などに台紙１と透光性板６との開封を防止できる。
【選択図】図１
0003099776.tif 000002
【実用新案登録請求の範囲】
【請求項１】
　台紙の表面に該表面を覆うように透光性板を設けて、前記台紙と前記透光性板との間に被収容物を収容するように該透光性板に凸部を設けると共に、前記台紙と前記透光性板の一側にそれぞれ第1及び第２の吊り下げ用の孔を同心状に設けた吊り下げ式パッケージにおいて、前記台紙の一側に延長部を設けると共に、該延長部を前記透光性板の一側を覆うように折り返し部を介して折り返し、かつ前記延長部に前記第1及び第２の吊り下げ用の孔と同心状に第３の吊り下げ用の孔を設けたことを特徴とする吊り下げ式パッケージ。
【請求項２】
　前記台紙の前記折り返し部の突出長さを前記凸部の突出長さとほぼ同じに形成すると共に、前記延長部を前記凸部の表面に当接することを特徴とする請求項１記載の吊り下げ式パッケージ。
【請求項３】
　前記延長部を前記凸部の表面に固定したことを特徴とする請求項２記載の吊り下げ式パッケージ。
【請求項４】
　前記台紙の裏面に第１の印刷部を設けると共に、前記延長部の表面に第２の印刷部を設けることを特徴とする請求項１〜３のいずれか１項に記載の吊り下げ式パッケージ。
【請求項５】
　前記延長部は前記凸部の表面の一部を覆うように設けたことを特徴とする請求項１〜４のいずれか１項に記載の吊り下げ式パッケージ。
【考案の詳細な説明】
【技術分野】
【０００１】
　本考案は、各種の商品を量収納して、吊り下げ陳列できる吊り下げ式パッケージに関するものである。
【背景技術】
【０００２】
　従来、この種のものとして台紙の表面に各種の商品を設けると共に、この商品を収納するドームなどと称する中空な凸部を形成した透明フィルム材としての透光性板を前記台紙に添着させる吊り下げ式ディスプレイパッケージが公知である。このような吊り下げ式ディスプレイパッケージにおいては、フックにパッケージを吊り下げるために、台紙及び透光性板のそれぞれの上部に吊り下げ用の第１及び第２の孔を同心状に設けている。
【０００３】
　しかし、このような吊り下げ式パッケージにおいては、第１及び第２の孔のまわりにおいて台紙と透光性板とが添着しているので、該箇所における立体感に欠けるというディスプレイ上の問題がある他に、例えばパッケージの上部における台紙と透光性板の間に指を差し込んで商品を盗み取られるというおそれがある。
【特許文献１】特開２００２−３６２５１５
【考案の開示】
【考案が解決しようとする課題】
【０００４】
　解決しようとする問題点は、吊り下げ式パッケージにおいて吊り下げ用の孔まわりの立体感を向上すると共に、商品の抜き取り防止を図る点である。
【課題を解決するための手段】
【０００５】
　請求項１の考案は、台紙の表面に該表面を覆うように透光性板を設けて、前記台紙と前記透光性板との間に被収容物を収容するように該透光性板に凸部を設けると共に、前記台紙と前記透光性板の一側にそれぞれ第1及び第２の吊り下げ用の孔を同心状に設けた吊り下げ式パッケージにおいて、前記台紙の一側に延長部を設けると共に、該延長部を前記透光性板の一側を覆うように折り返し部を介して折り返し、かつ前記延長部に前記第1及び第２の吊り下げ用の孔と同心状に第３の吊り下げ用の孔を設けたことを特徴とする吊り下げ式パッケージである。
【０００６】
　請求項２の考案は、前記台紙の前記折り返し部の突出長さを前記凸部の突出長さとほぼ同じに形成すると共に、前記延長部を前記凸部の表面に当接することを特徴とする請求項１記載の吊り下げ式パッケージである。
【０００７】
　請求項３の考案は、前記延長部を前記凸部の表面に固定したことを特徴とする請求項２記載の吊り下げ式パッケージである。
【０００８】
　請求項４の考案は、前記台紙の裏面に第１の印刷部を設けると共に、前記延長部の表面に第２の印刷部を設けることを特徴とする請求項１〜３のいずれか１項に記載の吊り下げ式パッケージである。
【０００９】
　請求項５の考案は、前記延長部は前記凸部の表面の一部を覆うように設けたことを特徴とする請求項１〜４のいずれか１項に記載の吊り下げ式パッケージである。
【考案の効果】
【００１０】
　請求項１の考案によれば、吊り下げ用の孔の表側には延長部が前方へ突出するように設けられるので、該箇所において立体感をあらわして陳列効果等を向上することができる。
【００１１】
　請求項２の考案によれば、台紙の表面と延長部の表面が平行となって当接するので、延長部が途中で折れ曲がりにくくなり、常時きれいに吊り下げておくことができる。
【００１２】
　請求項３の考案によれば、台紙と透光性板における吊り下げ用の孔のまわりの開封を抑止できるので、吊り下げ用の孔側において台紙と透光性板との開封を防止できる。
【００１３】
　請求項４の考案によれば、第１の印刷部を設ける印刷時に同時に第２の印刷部も印刷できる著しいコストアップがなくとも第２の印刷部を設けることができる。
【００１４】
　請求項５の考案によれば、正面側よりパッケージを見ると延長部のみならず商品等被収容物も透光性板を通して直接見ることができる。
【考案を実施するための最良の形態】
【００１５】
　本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。例えば、透光性板は全面が透光可能でなく一部分が透光可能であればよい。また凸部は商品等被収容物を収容する空間又はその周囲の空間或いはそれらの空間に直接的或いは間接的に接続するようなものでもよい。要するに凸部は商品等被収容物を収容するための透光性板に設けられていればよい。
【実施例１】
【００１６】
　図１〜図３は一実施例を示しており、台紙１は表紙部２と裏紙部３を一方の側縁４に設けた折り返し部を介して二つ折りに形成したものであり、裏紙部３において後方にあらわれる裏面３ａには商品名や取扱い方法や特長などあらわした第１の印刷部５が設けられている。この第１の印刷部５は図２において破線であらわしている。さらに、表紙部２の表面２ａのほぼ前面を覆うように透明フィルム材からなる薄い透光性板６を設けると共に、前記表紙部２の表面２ａと透光性板６との間に商品等被収容物ａを収容するように該透光性板６にドームなどと称せられる凸部７を設ける。この凸部７は商品等被収容物ａを収容する空間の他に、その周囲の空間を含むようになっている。さらに、前記台紙１と透光性板６の一側たる上部にそれぞれ第１及び第２の吊り下げ用の孔８,９を同心状に設ける。尚、ｘは中心軸線であり、また台紙１に設けられる第１の吊り下げ用の孔８は、表紙部２と裏紙部３にそれぞれ同心状に設けられる。また、透光性板６の他側たる下端には裏側に折り返す下端小折り返し部10が形成されており、この下端小折り返し部10と透光性板６の下端との間に前記台紙１の下端１ａが挿入されて係止されている。さらに、透光性板６の左右両側にも裏側に折り返す側縁小折り返し部11が形成されており、この側縁小折り返し部11と透光性板６の側縁との間に前記台紙１の左右両縁１ｂが挿入されて係止されている。尚、必要に応じて下端小折り返し部10の近傍において、コ形針等の図示しない固定具が設けられて台紙１の下部と透光性板６の下部とが固定されている。
【００１７】
　さらに、裏紙部３の上部に幅狭な延長部12を設けると共に、該延長部12を前記透光性板６における凸部７の一部の表面７ａを覆うように折り返し部13を介して折り返し、そして、延長部12の上部に前記第1及び第２の吊り下げ用の孔８,９と同心状に第３の吊り下げ用の孔14を設けている。前記折り返し部13の前方への突出長さｗは前記凸部７の突出長さとほぼ同じに形成しており、さらに、延長部12の先端側は凸部７の上部側に平面状に当接するように形成されていると共に、延長部12と凸７部の表面７ａには両面粘着テープなどの固定手段15を介して両者は固定している。また、延長部12の表面12ａにも商品名や取扱い方法や特長などをあらわすための第２の印刷部16が設けられている。さらに、表紙部２の表面２ａにも同様な第３の印刷部17が設けられている。第２,３の印刷部16,17は図２において斜線を付してあらわしている。
【００１８】
　次に前記構成についてその作用を説明する。商品等の陳列にあっては、商品等被収容物ａが凸部７に収容されるように台紙１と透光性板６に挟まれるように設けられた状態で、第１〜３の吊り下げ用の孔８,９,14に陳列台のフックｈが挿入してパッケージは吊り下げられて陳列される。そしてこの状態では、商品等被収容物ａが透光性板６を通して見えるようになっている。一方、フックｈよりパッケージを外して商品等被収容物ａを取り出すときには、まず延長部12を固定手段15に抗して凸部７より剥がし、次に台紙１を透光性板６に対して上方へ抜き出すようにすると、透光性板６の後方、ひいては凸部７の後方が開放されて商品等被収容物ａを後方より取り出すことができる。尚、図示しない前記固定具が設けられている場合には、予め固定具を外してから台紙を抜き出すようにする。
【００１９】
　以上のように前記実施例では請求項１に対応して、前記台紙１の上部に延長部12を設けると共に、該延長部12を前記透光性板６の上部を覆うように折り返し部13を介して折り返し、かつ前記延長部12に前記第１及び第２の吊り下げ用の孔８,９と同心状に第３の吊り下げ用の孔14を設けたことにより、吊り下げ用の孔８,９の表側には延長部12が前方へ突出するように設けられるので、パッケージに立体感があらわれて美観を向上することができる。しかも、延長部12は台紙１と一体なので該延長部12に伴う製造コストも大幅にアップすることはない。
【００２０】
　さらに、請求項２に対応して前記台紙１の前記折り返し部13の突出長さｗを前記凸部７の突出長さとほぼ同じに形成すると共に、前記延長部12を前記凸部７の表面７ａに当接することにより、延長部12を凸部７の表面７ａに平面的に当接でき、台紙１の表面２ａと延長部12の表面12ａが平行となって、複数のパッケージをフックｈに並べて吊り下げた際に、延長部12が途中で折れ曲がるようなことはなく、常時きれいに吊り下げておくことができる。
【００２１】
　また、請求項３に対応して前記延長部12を前記凸部７の表面７ａに固定したことにより、台紙１と透光性板６における吊り下げ用の孔８,９,14のまわりの開封を抑止できるので、吊り下げ用の孔孔８,９,14側において台紙１と透光性板６との開封を防止して陳列時における商品等被収容物の盗難を防止することができる。
【００２２】
　さらに、前記台紙１の裏面３ａ、すなわち裏紙３の裏面３ａに印刷して第１の印刷部５を設けると共に、前記延長部12の表面12ａに印刷して第２の印刷部16を設けることにより、第１の印刷部５を設ける印刷時に同時に第２の印刷部16も印刷できるので、第１の印刷部５と別途に第２の印刷部16を設ける必要はなく印刷に伴う著しいコストアップを抑止することができる。
【００２３】
　しかも、請求項５に対応して前記延長部12は前記凸部７の表面７ａの一部を覆うように設けたことにより、正面側よりパッケージを見ると延長部12のみならず商品等被収容物ａも透光性板６を通して見ることができるので、被収容物ａを直接確認することができる。
【産業上の利用可能性】
【００２４】
　以上のように本考案にかかる吊り下げ式パッケージは、商品等の陳列の他に商品以外の陳列などの用途にも適用できる。
【図面の簡単な説明】
【００２５】
【図１】本考案の一実施例を示す断面図である。
【図２】本考案の一実施例を示す正面図である。
【図３】本考案の一実施例を示す分解斜視図である。
【符号の説明】
【００２６】
１　台紙
３ａ　裏面
６　透光性板
７　凸部
８　第１の吊り下げ用の孔
９　第２の吊り下げ用の孔
12　延長部
12ａ　表面
13　折り返し部
14　第３の吊り下げ用の孔
15　固定手段
ｗ　突出長さ
【図１】
0003099776.tif 000003
【図２】
0003099776.tif 000004
【図３】
0003099776.tif 000005